(57)【特許請求の範囲】
【請求項１】
リアフレームの上に光反射シートと導光板を重ねて設け、導光板の端面沿いに冷陰極管とランプリフレクターを配置して、光反射シートと導光板と冷陰極管とランプリフレクターを樹脂フレームで囲繞すると共に、樹脂フレームの上に光学シートと液晶パネルを重ねて配置した液晶モジュールにおいて、
導光板の側面に突設された位置決め凸部と、リアフレームに形成されて導光板の位置決め凸部に接触する位置決め片との間に、光反射シートに形成された突出片から上方に折れ曲がる挟込片を挟み込んだことを特徴とする液晶モジュール。
【請求項２】
導光板の位置決め凸部の下面を光反射シートに形成された突出片で被覆し、この突出片の両端に形成された挟込片を上方に折り曲げて、導光板の位置決め凸部とその両端面に接触するリアフレームの位置決め片との間に挟み込んだことを特徴とする請求項１に記載の液晶モジュール。
【請求項３】
導光板の位置決め凸部の先端面を白色の樹脂フレームの一部で被覆したことを特徴とする請求項１又は請求項２に記載の液晶モジュール。
【発明の詳細な説明】
【技術分野】
【０００１】
本発明は、小型テレビ、カーナビ、パソコンその他の電子機器に組み込まれる液晶モジュールに関し、特に、組立作業効率の向上とコストダウンを図った液晶モジュールに関する。
【背景技術】
【０００２】
従来のエッジライト方式のバックライトユニットを組み込んだ液晶モジュールは、リアフレームの上に光反射シートと導光板を重ねて設け、導光板の端面沿いに冷陰極管とランプリフレクターを配置して、光反射シートと導光板と冷陰極管とランプリフレクターを樹脂フレームで囲繞すると共に、樹脂フレームの上に光学シートと液晶パネルを重ねて液晶パネルの周縁部をベゼルで押さえた概略構造を有している。そして、導光板の左右側面に位置決め凸部を一体に形成すると共に、リアフレームの左右側端に位置決め片を一対ずつ形成し、これらの位置決め片を導光板の位置決め凸部の両端面に当接させて、リアフレームに対する導光板の位置決めを行っている。
【０００３】
このような従来の液晶モジュールでは、リアフレームと導光板との接触部分、例えば、リアフレームの位置決め片と導光板の位置決め凸部との接触部分における光漏れ等の光学的ロスや導光板の損傷を防止するために、導光板の接触面に光反射シートの小片を接着剤で貼着している。
【０００４】
一方、エッジライト方式のバックライトを組み込んだ液晶表示装置において、導光板の両側面の入光側とは反対側に、爪形状、曲線エッジ形状、二重爪形状などの突出部を設け、パネルシャーシの内側面の窪み部に導光板の突出部を嵌め込んで導光板を保持固定した液晶表示装置が提案されている（特許文献１）。
【０００５】
また、液晶表示パネルとバックライトを具備する液晶表示装置であって、バックライトが、導光板と、導光板の側面に配置される光源と、これらの導光板及び光源を固定する枠状体とを有し、導光板の重心位置には少なくとも１個の突起部が形成され、この突起部が枠状体の凹部に嵌合されている液晶表示装置も提案されている（特許文献２）。
【０００６】
更に、液晶表示パネルと、液晶表示パネルを保持する筐体と、液晶表示パネルの背面に配置されたエッジライト型バックライト方式の導光板とを備えた液晶表示装置において、導光板の両側面に形成した凸部を、筐体に形成された略Ｌ形の切欠部に係合かつスライドさせ、導光板の線状光源配置側と反対側の端面を、筐体に形成された略コの字形の凹溝に挿入して、導光板を筐体に装着したものも提案されている（特許文献３）。
【０００７】
そして、導光板と、ランプユニットと、リフレクタと、導光板の背面側に実装された反射シートと、導光板の照光面側に積層された複数枚の光学シートと、これらの構成部材を収納する筐体と、筐体との間に上記構成部材を保持するフレームとを備えてなるバックライト装置が組み込まれた液晶表示装置であって、筐体の側壁に光学シートの位置決め保持用の嵌合穴を形成し、少なくとも筐体と隣接する光学シートに設けた嵌合凸部を筐体の嵌合穴に嵌合させて、光学シートを位置決め保持したものも提案されている（特許文献４）。
【特許文献１】特開２００６−１９６４０９号公報
【特許文献２】特開平９−１５２５７７号公報
【特許文献２】特開平９−１５５９４号公報
【特許文献４】特開２０００−１９５１２号公報
【発明の開示】
【発明が解決しようとする課題】
【０００８】
しかしながら、前述した従来の液晶モジュールのように、リアフレームの位置決め片と導光板の位置決め凸部との接触部分における光漏れ等の光学的ロスや導光板の損傷を防止するために、導光板の接触面に光反射シートの小片を接着剤で貼着したものは、この小片の貼着作業が面倒で、組立工程が一つ増え、コストアップを招くという問題があった。
【０００９】
一方、前記特許文献１〜３の液晶表示装置は、導光板に設けた突出部や突起部や凸部を、パネルシャーシや枠状体や筐体に設けた窪み部や凹部や切欠部に嵌合又は係合させるものであるが、これらは、嵌合部分や係合部分における光漏れ等の光学的ロスや導光板の損傷を防止するために導光板の嵌合（係合）接触面に反射シートの小片を設けるという発想が全くないものであるから、これら特許文献１〜３の液晶表示装置の技術を考慮しても、上記の問題を解決することはできない。また、前記特許文献４の液晶表示装置は、光学シートに設けた嵌合凸部を筐体の嵌合穴に嵌合させて光学シートを位置決め保持するものであるから、この特許文献４の液晶表示装置を考慮しても、やはり上記問題を解決することはできない。
【００１０】
本発明は上記事情の下になされたもので、その解決しようとする課題は、導光板のリアフレームとの接触面に光反射シートの小片を貼着する作業を不要として組立作業効率を向上させ、コストダウンを可能にした液晶モジュールを提供することにある。
【課題を解決するための手段】
【００１１】
上記課題を達成するため、本発明に係る液晶モジュールは、リアフレームの上に光反射シートと導光板を重ねて設け、導光板の端面沿いに冷陰極管とランプリフレクターを配置して、光反射シートと導光板と冷陰極管とランプリフレクターを樹脂フレームで囲繞すると共に、樹脂フレームの上に光学シートと液晶パネルを重ねて配置した液晶モジュールにおいて、導光板の側面に突設された位置決め凸部と、リアフレームに形成されて導光板の位置決め凸部に接触する位置決め片との間に、光反射シートに形成された突出片から上方に折れ曲がる挟込片を挟み込んだものである。
【００１２】
本発明の液晶モジュールにおいては、導光板の位置決め凸部の下面を光反射シートに形成された突出片で被覆し、この突出片の両端に形成された挟込片を上方に折り曲げて、導光板の位置決め凸部とその両端面に接触するリアフレームの位置決め片との間に挟み込むことが好ましい。そして、導光板の位置決め凸部の先端面を白色の樹脂フレームの一部で被覆することが好ましい。
【発明の効果】
【００１３】
本発明の液晶モジュールのように、光反射シートに形成された突出片から上方に折れ曲がる挟込片を、導光板の側面に突設された位置決め凸部と、リアフレームに形成されて導光板の位置決め凸部に接触する位置決め片との間に挟み込むと、従来のように導光板のリアフレームとの接触面に光反射シートの小片を接着剤で貼着する作業が不要となるので、貼着工程を省略して組立作業効率の向上とコストダウンを図ることができる。そして、挟み込んだ光反射シートの挟込片によって、従来と同様に導光板の接触面から漏れようとする光を反射して光漏れを防止することができ、また、導光板の接触面の損傷も挟込片によって防止することができる。
【００１４】
また、導光板の位置決め凸部の下面を光反射シートに形成された突出片で被覆し、この突出片の両端に形成された挟込片を上方に折り曲げて、導光板の位置決め凸部とその両端面に接触するリアフレームの位置決め片との間に挟み込んだ液晶モジュールは、導光板の位置決め凸部の両端面に上方に折り曲げた挟込片を沿わせて、位置決め凸部を挟込片と一緒にリアフレームの位置決め片の相互間に嵌め込むだけで、簡単に挟込片を位置決め凸部と位置決め片との間に挟み込む作業を行うことができ、かつ、導光板の位置決め凸部の下面を被覆する光反射シートの突出片によって位置決め凸部の下面からの光漏れを防止することもできる。
【００１５】
更に、導光板の位置決め凸部の先端面を白色の樹脂フレームの一部で被覆した液晶モジュールは、白色の樹脂フレームの光反射作用によって位置決め凸部の先端面からの光漏れも防止できるので、光学的ロスを一層低減することができる。
【発明を実施するための最良の形態】
【００１６】
以下、図面を参照して本発明の具体的な実施形態を詳述する。
【００１７】
図１は本発明の一実施形態に係る液晶モジュールの分解斜視図、図２は同液晶モジュールの概略縦断面図、図３は同液晶モジュールの概略横断面図、図４は同液晶モジュールの要部分解斜視図、図５は同液晶モジュールの要部斜視図である。
【００１８】
この液晶モジュールの全体構成を図１〜図３に基づいて概説すると、金属製のリアフレーム１の上には、光反射シート２と楔形の導光板３が重ねて設けられており、導光板３の厚肉側の端面沿いには、冷陰極管４とコ字形の断面形状を有するランプリフレクター５が配設されている。そして、これらの光反射シート２、導光板３、冷陰極管４、ランプリフレクター５は方形枠状の白色の樹脂フレーム６で囲繞されており、この樹脂フレーム６は、その側面に形成された複数の係合爪６ａをリアフレーム１の対応する複数の被係合穴１ａに係合させることによって分離しないように一体に結合されている。また、冷陰極管４とランプリフレクター５は抜取り・挿入自在に取り付けられており、冷陰極管４の交換を簡単に行うことができるようになっている。
【００１９】
冷陰極管４の端子にはリード線７，７がハンダで接続されており、この接続部分を取り囲むようにシリコンゴム製のランプソケット８が冷陰極管４の端部に取り付けられている。そして、リート線７，７の先端にはコネクタ９が取り付けられており、メインのプリント配線基板（不図示）に容易に接続できるようになっている。
【００２０】
樹脂フレーム６の上には、光学シートとして光拡散シート１０ａと２枚のプリズムシート１０ｂ，１０ｂが重ねて設けられており、その上には液晶パネル１１（液晶セル）が配置されている。そして、この液晶パネル１１には、ドライバーＩＣチップを搭載した複数のＣＯＦ（チップ・オン・フィルム）１２を介してプリント配線基板１３が連結されており、また、液晶パネル１１の周縁部は方形枠状のベゼル１４で押さえ付けられて固定されている。このベゼル１４は、その側面に形成された複数の被係合穴１４ａに樹脂フレーム６の対応する係合爪６ｂを係合させることによって、分離しないように一体に結合されている。
【００２１】
図１，図４，図５に示すように、導光板３の左右の両側面には細長い直方体形状の位置決め凸部３ａが突設されており、この位置決め凸部３ａを支持するＬ形の支持片１ｂがリアフレーム１の左右両側端から突設されている。このＬ形支持片１ｂの突出寸法は、位置決め凸部３ａの突出寸法よりも樹脂フレーム６の厚み分だけ大きくなっており、Ｌ形支持片１ｂの先端の立上り部には、樹脂フレーム６の前述した係合爪６ａを係合させる被係合穴１ａが形成されている。そして、リアフレーム１の支持片１ｂの両側には、位置決め凸部３ａの両端面に当接して導光板３の位置決めを行う位置決め片１ｃ，１ｃが上方に折り曲げられて形成されている。
【００２２】
一方、光反射シート２の左右両側端には、導光板３の位置決め凸部３ａの下面を被覆する突出片２ａが形成されており、この突出片２ａの両端には上方へ折り曲げられた挟込片２ｂ，２ｂが形成されている。そして、この光反射シート２を導光板３の下面に重ねて突出片２ａで位置決め凸部３ａの下面を被覆すると共に、上記の挟込片２ｂ，２ｂを位置決め凸部３ａの両端面に沿わせて、位置決め凸部３ａを挟込片２ｂ，２ｂと一緒にリアフレーム１の位置決め片１ｃ，１ｃの相互間に嵌め込むことにより、図５に示すように、光反射シート２の挟込片２ｂ，２ｂを導光板３の位置決め凸部３ａとリアフレーム１の位置決め片１ｃ，１ｃとの間に挟み込んでいる。
【００２３】
さらに、導光板３の位置決め凸部３ａとリアフレーム１のＬ形支持片１ｂの立上り部との間には、図５に示すように、白色の樹脂フレーム６の一部が嵌め込まれて位置決め凸部３ａの先端面が樹脂フレーム６の一部で被覆されるようになっており、この樹脂フレーム６に形成された前記係合爪６ａがＬ形支持片１ｂの立上り部に形成された前記被係合穴１ａに係合して、樹脂フレーム６とリアフレーム１が分離不能に結合されるようになっている。
【００２４】
上記構成の液晶モジュールのように、光反射シート２の挟込片２ｂ，２ｂを導光板３の位置決め凸部３ａとリアフレーム１の位置決め片１ｃ，１ｃとの接触部分に挟み込むと、従来のように位置決め凸部の両端面に光反射シートの小片を接着剤で貼着する作業が不要となるので貼着工程を省略することができ、しかも、前記の要領で挟込片２ｂ，２ｂを簡単に挟み込むことができるので、組立作業効率が大幅に向上し、コストダウンを図ることができる。そして、挟み込んだ光反射シートの挟込片１ｃ，１ｃによって、従来と同様に、導光板３の位置決め凸部３ａの両端面から漏れようとする光を反射して光漏れを防止することができ、また、位置決め凸部３ａの両端面の損傷も挟込片１ｃ，１ｃによって防止することができる。
【００２５】
加えて、上記の液晶モジュールのように、導光板３の位置決め凸部３ａの下面を光反射シート２の突出片２ａで被覆し、位置決め凸部３ａの先端面を白色の樹脂フレーム６の一部で被覆すると、位置決め凸部３ａの下面や先端面からの光漏れも防止できるので、光学的ロスを一層減少させることができる。
【００２６】
以上、導光板の位置決め凸部とリアフレームの位置決め片との接触部分に光反射シートの挟込片を挟み込む場合を例にとって本発明の液晶モジュールを説明したが、本発明はこの実施形態のみに限定されるものではなく、形状が異なる導光板とリアフレームの任意の接触部分に光反射シートの挟込片を挟み込んだものも本発明に含まれることは勿論である。また、上記実施形態では、楔形の導光板を採用して、その厚肉側の端面沿いに冷陰極管とランプリフレクターを配設した液晶モジュールを挙げたが、厚みの均一な平板状の導光板を採用して、その両端面に冷陰極管とランプリフレクターを配設した液晶モジュールでもよいことは言うまでもない。
【図面の簡単な説明】
【００２７】
【図１】本発明の一実施形態に係る液晶モジュールの分解斜視図である。
【図２】同液晶モジュールの概略縦断面図である。
【図３】同液晶モジュールの概略横断面図である。
【図４】同液晶モジュールの要部分解斜視図である。
【図５】同液晶モジュールの要部斜視図である。
【符号の説明】
【００２８】
１    リアフレーム
１ｃ  位置決め片
２    光反射シート
２ａ  突出片
２ｂ  挟込片
３    導光板
３ａ  位置決め凸部
４    冷陰極管
５    ランプリフレクター
１０ａ  光拡散シート（光学シート）
１０ｂ  プリズムシート（光学シート）
１１  液晶パネル
１４  ベゼル
【図１】
0005098549.tif 000002
【図２】
0005098549.tif 000003
【図３】
0005098549.tif 000004
【図４】
0005098549.tif 000005
【図５】
0005098549.tif 000006